(57)【要約】１つまたは複数の無機フィラー材料を含む１つまたは複数のポリオレフィンを含む材料からつくられた飲料用ストロー。また、本発明は、飲料用ストローの上記の如き材料の使用に関する。
2004522556.tif 000002
【特許請求の範囲】
【請求項１】
１つまたは複数の無機フィラー材料を含む１つまたは複数のポリオレフィンを含む材料からつくられたことを特徴とする飲料用ストロー（１）。
【請求項２】
プロペンをベースとしたポリオレフィン、好ましくは、プロペンホモポリマー、又はプロペン及びエテン及び／又は他のアルケンの共重合体を含むことを特徴とする請求項１に記載の飲料用ストロー。
【請求項３】
前記１つまたは複数のポリオレフィンは、ポリアルケンをベースとしたポリオレフィン、好ましくは、ポリエテンをベースとしたポリオレフィン、さらに好ましくは、高密度のポリエテンからなるポリオレフィンを含むことを特徴とする請求項１に記載の飲料用ストロー。
【請求項４】
前記１つまたは複数のポリオレフィンは、少なくとも１０重量％、好ましくは、２０−８５重量％、さらに好ましくは、３０−８０重量％、最も好ましくは４０−８０重量％の量だけ前記無機フィラー材料を含むことを特徴とする請求項１から３までのいずれか１項に記載の飲料用ストロー。
【請求項５】
前記１つまたは複数の無機フィラー材料は、無機材料粒状物から成ることを特徴とする請求項１から４までのいずれか１項に記載の飲料用ストロー。
【請求項６】
前記１つまたは複数の無機フィラー材料は、ドロマイト、タルク、白亜、雲母、石灰石、大理石、白土、珪灰石から成る群から選択されることを特徴とする請求項１から５までのいずれか１項に記載の飲料用ストロー。
【請求項７】
前記無機フィラー材料は、そのフィラー材料について計算して好ましくはドロマイト粒状物が７０−９０重量％、タルク粒状物が１０−３０重量％の比率で、ドロマイト、タルクの粒状物の混合物を含むことを特徴とする請求項１から６までのいずれか１項に記載の飲料用ストロー。
【請求項８】
前記無機フィラー材料は全体的にまたは主として白亜からなることを特徴とする請求項１から７までのいずれか１項に記載の飲料用ストロー。
【請求項９】
飲料用ストローの材料としてポリオレフィンが１つまたは複数の無機フィラー材料を含む、１つまたは複数のポリオレフィンの使用。
【発明の詳細な説明】
【技術分野】
【０００１】
本発明は、使い捨て飲料用ストローに関する。さらに詳細には、本発明は、飲料用ストローを構成するための特別な材料の使用に関する。
【背景技術】
【０００２】
１回だけ使用される飲料用ストローは、従来、ポリプロピレン又はポリエチレンのようなポリオレフィン材料から製造される。このような飲料用ストローが、タンブラー、コップ、カン、ボトル等で使用されるとき、飲料用ストローが飲料の中で浮き上がるという問題がある。特に、天然の、又は人工的な炭酸飲料の場合、飲料用ストローが浮き上がる問題は大きい。なぜならば、飲料用ストローの壁によって画成された表面に形成され又は付着する二酸化炭素の泡が、飲料用ストローの正味の上昇力を増大させるからである。バンバーガーレストランでよく利用される飲料用コップ、すなわち、カートン又はプラスチックでコートされたカートンから作られた飲料用コップのタイプに関して、この問題は、交差するスリットから形成され、飲料用ストローをしっかりと保持する目的で中央に配置された穴を有するプラスチック製の蓋によって解決される。したがって、これらのスリットに対する摩擦の結果として飲料用ストローが浮き上がる可能性はない。これらの蓋は、確かに飲料がこぼれることを防止する機能を有するが、実際には、この機能は、レストランから飲料用コップが持ち出される（テイクアエイ）ときに必要なだけである。飲料がレストラン内部で消費されるとき、蓋の使用は、コストの追加、環境問題上の負担、飲料用カップに蓋を配置するときに、人員の作業が増えることのみを意味する。
【０００３】
また、飲料用の公知のタイプは、他の側面で、すなわち、最初で最前の費用の観点及び環境問題上の欠点だけでなく、剛性の欠如と「プラスチックのようである」材料の触感の物理的特性にも関連する。
【発明の開示】
【課題を解決するための手段】
【０００４】
本発明は、上述した複雑な問題の解決法を提供することを目的とする。特に、本発明は、飲料、特に炭酸飲料に自由に配置したときに浮き上がらない、液体飲料用の使い捨て飲料用ストローを提供することを目的とする。また、本発明は、全体がポリマー材料で製造される現在のタイプの飲料用ストローよりも廉価で、改善された環境上の特性を有する飲料用ストローを提供することを目的とする。さらに本発明は、ポリマー材料のみでつくられた公知の飲料用ストローよりも大きな剛性を有する飲料用ストロー、使いやすく、プラスチックではないような感触を有する飲料用ストローを形成する材料で製造された飲料用ストローを提供する目的を有する。
【０００５】
従って、本発明は、特許請求の範囲の請求項１に定義される飲料用ストローを提供する。さらに、本発明は、特許請求の範囲の請求項８による飲料用ストローのそれ自身公知である材料の使用に関する。
【０００６】
本発明の背後にある概念は、飲料用ストロー用の公知の材料よりさらに廉価で環境に優しいと同時に、さらに緻密であるとともにさらに剛性で、紙と同様の好ましい感触を与える材料を見いだすことである。さらに、この材料は、飲料用ストローの自動化された大量生産によく適していなければならず、このことは、飲料用ストローの自動化された大量生産において廉価で取り扱いが簡単でなければならないことを意味する。また、本発明によれば、少量のポリマー材料しか必要でなく、飲料用ストローの壁の厚さが従来の場合より薄くつくられ、それによって材料の消費が低減される利点が得られる。
【０００７】
これらの目的のために、本発明の材料は、好ましくは全体が、１つまたは複数の無機フィラー材料、特に１つまたは複数のタイプの無機鉱物性粒状物を含む１つまたは複数のポリオレフィンから成る。
【０００８】
本発明の１つの側面において、前記１つまたは複数のポリオレフィンは、プロペンホモポリマー、又はプロペン及びエテン及び／又は他のアルケンからなる共重合体のようなプロペンをベースとしたポリオレフィンを含む。これに関連し、好ましいものは、無機フィラー材料を含む、上記の如き材料から全体が製造される飲料用ストローである。
【０００９】
本発明の他の側面によれば、前記ポリオレフィンは、ポリアルケンをベースとしたポリオレフィン、好ましくは、ポリエテンをベースとしたポリオレフィン、さらに好ましくは、高密度のポリエテンからなるポリオレフィンを含む。
【００１０】
これに関連し、好ましいものは、無機フィラー材料を含む、上記の如き材料から全体が製造される飲料用ストローである。
【００１１】
本発明の他の側面によれば、前記１つまたは複数のポリオレフィンは、少なくとも５重量％、又は通常、少なくとも１０重量％、好ましくは、２０−８５重量％、さらに好ましくは、３０−８０重量％、最も好ましくは４０−８０重量％の量の前記無機フィラー材料を含む。
【００１２】
混合される無機フィラー材料の量の選択は、特に達成される密度によって支配される。通常、ポリオレフィン又は、ポリオレフィン類は、１ｋｇ／ｄｍ３以下の密度を有する。混合されるフィラー材料の量は、材料の密度が少なくとも１ｋｇ／ｄｍ３を越えることを保証するのに十分でなければならない。通常、特に飲料用ストローが炭酸飲料に使用されるときに、さらに大きな密度が必要とされる。必要とされる正確な量は、飲料の中の炭酸の量及び飲料用ストローの壁の特定の表面のような多数の要因に依存している。混合される無機フィラー材料の適当な量を試験するために専門的な最適化法を使用することができる。しかしながら、通常、さらに無機フィラー材料を使用することによってその結果を改善することができることを指摘しておく。なぜならば、この無機フィラー材料は、ポリオレフィンより著しく大きい密度を有しており、ポレオレフィンよりさらに安価で環境に優しいからである。従って、飲料用ストローの自動大量生産の場合、実際には、混合される無機フィラー材料の量の上限は、材料をもう使用することができない限度によって設定され、これは、延伸又は押出し加工に続く先端切除加工によって影響を受ける。無機フィラー材料は、好ましくは、フレーク状の粒状物であり、ポリオレフィンマトリクスに主として均一に分配されている。１−２０μｍの粒状寸法を有する粒状物が好ましい。
【００１３】
本発明の他の側面によれば、前記１つまたは複数の無機フィラー材料は、ドロマイト、タルク、白亜、雲母、石灰石、大理石、白土、珪灰石から成る群から選択される。前記無機フィラー材料は、ドロマイト粒状物が７０−９０重量％、タルク粒状物が１０−３０重量％の比率で、ドロマイト粒状物及びタルクの粒状物の混合物を含む又はその混合物から成ることが特に好ましい。
【００１４】
好ましい他の変形例は、本発明が１つまたは複数の無機フィラー材料を含む変形例を包含するにしても、無機フィラー材料が全体的にまたは主として白亜からなるものである。
【実施例】
【００１５】
図１は、両端が開放した円筒形の本体２から成る飲料用ストロー１を示す。本体の壁は、薄く、好ましくは、本発明による複合材料から成る材料構造体が同質である。典型的な寸法は、長さが８０から２５０ｍｍであり、好ましくは、１００から２００ｍｍであり、外径が２から１０ｍｍ、好ましくは２から８ｍｍである。特に、本発明は、例えば、４から１０ｍｍ、好ましくは５から１０ｍｍの間隔の上方の範囲の直径を有する飲料用ストローに適している。なぜならば、このような飲料用ストローの壁の表面は広く、その結果、二酸化炭素の泡が飲料用ストローに付いたとき、正味の上昇力が大きくなるからである。壁の厚さは、通常、０．５ｍｍ以下、好ましくは、０．３ｍｍ未満である。
【００１６】
図２は、それ自身公知のタイプであり、間にひだ部分４を有する２つの円筒形部分３，５からなる他の飲料用ストロー１を示している。飲料用ストロー１は、ひだ部分４で曲げることができる。全体の長さ及び直径は、図１に関して説明した寸法に一致する。その結果、この実施例は、容積が例えば１５０から３００ｍｌ、通常２００から２５０ｍｌの飲料を含み、飲料用ストローのための準備された開口穴を備えている、通常、密封された単一部分のパックを伴う小さい屈曲可能な飲料用ストローを含む。
【００１７】
本発明は、説明された実施例に制限されず、特許請求の範囲内で変形することができる。
【図面の簡単な説明】
【００１８】
【図１】直線的な飲料用ストローの斜視図である。
【図２】屈曲可能な飲料用ストローの斜視図である。
【国際公開パンフレット】
2004522556.tif 000003
2004522556.tif 000004
2004522556.tif 000005
2004522556.tif 000006
2004522556.tif 000007
2004522556.tif 000008
2004522556.tif 000009
2004522556.tif 000010
2004522556.tif 000011
2004522556.tif 000012
2004522556.tif 000013
【国際調査報告】
2004522556.tif 000014
2004522556.tif 000015
2004522556.tif 000016
2004522556.tif 000017
2004522556.tif 000018